(57)【要約】  空気調和機１の機能設定を切り替えるスイッチ２３０および機能設定の設定値を記憶するメモリ２４０が設けられ、メモリ２４０に記憶されている設定値は、リモコン３０からの指示によって書き換え可能に構成される。空気調和機に対する機能設定は、メモリ２４０に記憶されている設定値によって規定される。空気調和機に設定する機能に対して、スイッチ２３０の設定を優先するか、リモコン３０による設定を有効とするかの優先権を、機能ごとにリモコン３０からの設定によって切り替える。
2016135866.tif 000002
【特許請求の範囲】
【請求項１】
リモコンと室内ユニットとが通信可能に構成される空気調和機であって、
前記室内ユニットは、前記空気調和機の機能設定を切り替えるスイッチと、前記機能設定の設定値を記憶するメモリと、を有し、
前記メモリに記憶されている設定値は、前記リモコンからの指示によって書き換え可能に構成され、
前記空気調和機に対する機能設定は、前記メモリに記憶されている設定値によって規定される
ことを特徴とする空気調和機。
【請求項２】
前記機能設定の初期値は、前記スイッチの設定を有効とし、前記初期値設定後の機能設定の切替に関し、前記スイッチの設定を優先するか、前記リモコンによる設定を有効とするかの優先権を、リモコンからの設定によって切り替えることを特徴とする請求項１に記載の空気調和機。
【請求項３】
前記機能設定の初期値は、前記スイッチの設定を有効とし、前記初期値設定後の機能設定については、常時、前記リモコンによる設定変更を有効とすることを特徴とする請求項１に記載の空気調和機。
【請求項４】
前記機能設定の初期値は、前記スイッチの設定を有効とし、前記初期値設定後の機能設定については、前記スイッチによる設定変更および前記リモコンによる設定変更のうちで、後から実施された設定変更を有効とすることを特徴とする請求項１に記載の空気調和機。
【発明の詳細な説明】
【技術分野】
【０００１】
本発明は、機能設定の設定値を記憶可能に構成される空気調和機に関する。
【背景技術】
【０００２】
従来技術に係る空気調和機の一例として、空気調和機の機能設定の設定切替を、制御基板上のディップスイッチによって行うものがある。【０００３】
また、従来技術に係る空気調和機の他の例として、リモコンによって、制御基板のＥＥＰＲＯＭに記憶している機能設定値を変更するものがある（例えば、下記特許文献１）。
【先行技術文献】
【特許文献】
【０００４】
【特許文献１】特開平１１−８３１３２号公報
【発明の概要】
【発明が解決しようとする課題】
【０００５】
しかしながら、制御基板上のディップスイッチによって行う空気調和機では、設定切替を行う際に制御基板が収納されている電気品箱を開ける作業が必要となる。このため、据え付け完了後に設定切替を行うことは、手間がかかる作業が残ることになり、設定切替を簡潔に行うことができないという問題があった。【０００６】
また、制御基板のＥＥＰＲＯＭに記憶している機能設定値をリモコンによって変更する従来の空気調和機では、空気調和機に通電できない据え付け完了前では、設定変更ができないという問題があった。【０００７】
本発明は、上記に鑑みてなされたものであって、据え付け完了前、あるいは、据え付け完了後の何れであっても、空気調和機の機能設定に関する設定切替を簡潔に行うことができる空気調和機を提供することを目的とする。
【課題を解決するための手段】
【０００８】
上述した課題を解決し、目的を達成するために、本発明は、空気調和機の機能設定を切り替えるスイッチおよび機能設定の設定値を記憶するメモリが設けられ、メモリに記憶されている設定値は、リモコンからの指示によって書き換え可能に構成される。空気調和機に対する機能設定は、メモリに記憶されている設定値によって規定される。
【発明の効果】
【０００９】
この発明によれば、据え付け完了前、あるいは、据え付け完了後の何れであっても、空気調和機の機能設定に関する設定切替を簡潔に行うことができる、という効果を奏する。
【図面の簡単な説明】
【００１０】
【図１】実施の形態１における空気調和機のシステム構成図
【図２】実施の形態１における室内ユニットおよびリモコンの機能構成を示す機能ブロック図
【図３】実施の形態１における機能設定の初期値の決定に関する制御フローを示すフローチャート
【図４】スイッチの一例としてＤＩＰ＿ＳＷの概観を示す図
【図５】機能設定の初期値を格納するメモリ内容を表形式で示す図
【図６】機能設定に関する優先権切替モードを設定する制御フローを示すフローチャート
【図７】機能設定に関する優先権切替モードを設定する際の機能選択画面を示す図
【図８】機能設定に関する優先権切替モードを設定する際の設定値を表形式で示す図
【図９】機能設定に関する優先権切替モードにおいて機能設定値をリモコンで変更するときの制御フローを示すフローチャート
【図１０】リモコンに表示される機能設定選択画面を示す図
【図１１】機能設定値を変更するときの設定値変更例を示す図
【図１２】リモコン優先モードにおいて機能設定値をリモコンで変更するときの制御フローを示す実施の形態２に係るフローチャート
【図１３】後設定優先モードにおいて機能設定値をリモコンまたはＤＩＰ＿ＳＷで変更するときの制御フローを示す実施の形態３に係るフローチャート
【図１４】図１３のフローの実施後に後設定優先モードによって機能設定値を変更するときの設定値変更例を示す図
【発明を実施するための形態】
【００１１】
以下に添付図面を参照し、本発明の実施の形態に係る空気調和機について説明する。なお、以下に示す実施の形態により本発明が限定されるものではない。
【００１２】
実施の形態１．
実施の形態１に係る空気調和機の構成および動作について、図１から図１１までの図面を参照して説明する。図１は、実施の形態１における空気調和機のシステム構成図である。図２は、実施の形態１における室内ユニットおよびリモートコントローラ（以下「リモコン」と称する）の機能構成を示す機能ブロック図である。図３は、実施の形態１における機能設定の初期値の決定に関する制御フローを示すフローチャートである。図４は、スイッチの一例としてディップスイッチ（以下「ＤＩＰ＿ＳＷ」と表記）の概観を示す図である。図５は、機能設定の初期値を格納するメモリ内容を表形式で示す図である。図６は、機能設定に関する優先権切替モードを設定する制御フローを示すフローチャートである。図７は、機能設定に関する優先権切替モードを設定する際の機能選択画面を示す図である。図８は、機能設定に関する優先権切替モードを設定する際の設定値を表形式で示す図である。図９は、機能設定に関する優先権切替モードにおいて機能設定値をリモコンで変更するときの制御フローを示すフローチャートである。図１０は、リモコンに表示される機能設定選択画面を示す図である。図１１は、機能設定値を変更するときの設定値変更例を示す図である。
【００１３】
まず、実施の形態１に係る空気調和機の構成について説明する。実施の形態１に係る空気調和機１は、図１に示すように、空気調和機１の室外機として動作する室外ユニット１０、空気調和機１の室内機として動作する室内ユニット２０および、室内ユニット２０を遠隔操作するリモコン３０を備えて構成されている。
【００１４】
図２では、室内ユニット２０におけるコントローラの機能を有する室内制御基板２１０の内部の機能ブロックと、リモコン３０における内部の機能ブロックとを示している。室内制御基板２１０には、室内ユニット２０の処理プロセッサであるＣＰＵ２２０、機能設定を実施するスイッチ２３０、機能設定データを格納するメモリ２４０および、リモコン３０との通信を行うリモコン通信送受信部２５０が設けられている。リモコン３０には、リモコン３０の処理プロセッサであるＣＰＵ３１０、操作部３２０、室内ユニット２０との通信を行うリモコン通信送受信部３３０が設けられている。
【００１５】
室内制御基板２１０では、室内制御基板２１０に設けられるスイッチ２３０によって、空気調和機１に具備される種々の機能設定の切り替えが可能である。また、室内制御基板２１０では、リモコン３０からの指示によってメモリ２４０の内容（以下、適宜「メモリデータ」という）を書き替え、書き替えられたメモリデータを参照することによっても当該機能設定の切り替えが可能である。すなわち、実施の形態１に係る空気調和機１は、スイッチ２３０による設定切替と、リモコン３０による設定切替との双方によって、機能設定の切り替えを実施できる構成を備えている。
【００１６】
つぎに、実施の形態１に係る空気調和機の動作について説明する。なお、以下の説明では、スイッチ２３０が、図４に示すＤＩＰ＿ＳＷである場合を一例とする。
【００１７】
図３では、室内ユニット２０の室内制御基板２１０において、機能設定のための初期値を決定するまでの制御フローが示されている。まず、室内ユニット２０機能設定として、図４に示すＤＩＰ＿ＳＷの設定値が確認され（ステップＳＴ１０）、つぎに確認したＤＩＰ＿ＳＷの設定値が室内制御基板２１０のメモリ２４０に記憶される（ステップＳＴ１１）。そして、室内制御基板２１０のメモリ２４０にＤＩＰ＿ＳＷの設定値が記憶されることにより、室内ユニット２０の機能設定に関する初期値が確定される（ステップＳＴ１２）。
【００１８】
図５は、図３の制御フローによる処理の一例を表形式で示す図であり、紙面の上側には、機能設定の設定項目と、リモコン３０で機能の指定するときの設定番号（以下「機能設定Ｎｏ」と表記）とを示している。なお、図５の例では、設定項目＝「天井高さ設定」であり、ＤＩＰ＿ＳＷ２３０ａにおいて、「天井高さ設定」は、「ＳＷ１−１」および「ＳＷ１−２」で設定され、リモコン３０による機能設定では、「機能設定Ｎｏ」の“８”によって、「天井高さ設定」という設定項目が識別され、当該設定値がメモリ２４０に記憶される。
【００１９】
また、「天井高さ設定」は、ＤＩＰ＿ＳＷ２３０ａの設定と、リモコン３０による機能設定によって、「低天井」、「標準」および「高天井」の３つの設定ができる構成となっており、図３のステップＳＴ１０によって、ＤＩＰ＿ＳＷ２３０ａにおける出荷時の設定によって、「天井高さ設定」の設定内容が「標準」である旨の設定値が確認され、ステップＳＴ１１によって、メモリ２４０には、該当する機能設定Ｎｏ．８の設定値として、「標準」である旨の設定値を表す“２”が記憶される。以上の処理により、「天井高さ設定」に関する設定値が、メモリ２４０に展開される。
【００２０】
なお、図３および図４の例では、「機能設定Ｎｏ．８」の「天井高さ設定」に関する場合を一例として説明したが、他の機能についても、「機能設定Ｎｏ」を指定して、同様にメモリ２４０に展開することが可能である。
【００２１】
つぎに、図６から図８の図面を参照し、機能設定の切り替えの際に、ＤＩＰ＿ＳＷ２３０ａ設定を有効とするか、リモコン３０による機能設定を有効とするか、機能設定の優先権切替を行う制御フローについて説明する。
【００２２】
まず、リモコン３０にて、室内ユニット２０の各種機能を設定するための機能選択画面Ｓ２０Ａを表示させる（図６：ステップＳＴ２０、図７：機能選択画面Ｓ２０Ａ）。つぎに、機能選択画面Ｓ２０Ａにて、設定対象の室内ユニット２０を表すアドレス指定を行い（図６：ステップＳＴ２１、図７：アドレス指定欄Ｓ２１Ａ）、さらに、機能設定の優先権切替の設定を行うことを意味する「機能設定Ｎｏ」である、「Ｎｏ．３２」が選択され（図６：ステップＳＴ２２、図７：機能設定欄Ｓ２２Ａ）、さらに、機能設定値を選択して、ＤＩＰ＿ＳＷ２３０ａを有効とするか、リモコン３０による設定を有効とするか否かを選択する（図６：ステップＳＴ２３、図７：機能設定値欄Ｓ２３Ａ）。ＤＩＰ＿ＳＷ２３０ａの設定を有効とする場合には（ステップＳＴ２３，Ｙｅｓ）、図６のフロー処理を終了し、リモコン３０による設定を有効とする場合には（ステップＳＴ２３，Ｎｏ）、ステップＳＴ２４に移行する。なお、選択欄の移動は、カーソル欄Ｓ２５Ａの両脇にある下向きの三角キーおよび上向きの三角キーを使用して実施することができ、また、設定欄における数値の増減は、アドレス欄Ｓ２６Ａの両脇にある“−”キーおよび“＋”キーを使用して選択することができる。
【００２３】
優先権切替のための機能設定Ｎｏ．３２の設定値の構成は図８で示している。具体的に説明すると、設定値＝１は、ＤＩＰ＿ＳＷ２３０ａの設定が有効であることを意味し、設定値＝２は、リモコン３０による設定値が有効であることを意味する。図７の例では、機能設定値が、初期設定値である“１”となっており、ＤＩＰ＿ＳＷ２３０ａの設定が有効とされている。
【００２４】
つぎに、ステップＳＴ２１からステップＳＴ２３の処理で設定した内容を実行するために、実行内容選択欄Ｓ２４Ａで「設定」を選択することにより、機能設定値が決定され（図６：ステップＳＴ２４）、決定された機能設定値がリモコン３０と室内ユニット２０との間のリモコン通信により、室内ユニット２０の室内制御基板２１０に送信される。
【００２５】
室内制御基板２１０では、リモコン３０を使用して決定された機能設定値を受信し（図６：ステップＳＴ２５）、受信した機能設定値は、メモリ２４０における指定箇所に記憶させる（図６：ステップＳＴ２６）。
【００２６】
なお、上記の例では、ＤＩＰ＿ＳＷ２３０ａの設定を有効とする例であるが、ステップＳＴ２３において、機能設定値欄Ｓ２３Ａにて機能設定値を“２”に設定し、実行内容選択欄Ｓ２４Ａで「設定」を選択することにより、リモコン３０の設定を有効とすることができる。この動作以降は、リモコン３０から設定変更が有効となる。
【００２７】
つぎに、図９および図１０の図面を参照し、機能設定の優先権切替モードにおける機能設定値変更の制御フローについて説明をする。
【００２８】
まず、室内ユニット２０の各種機能設定を実施するための機能選択画面Ｓ３０Ａを表示して、機能選択モードに移行する（ステップＳＴ３０）。次いで、アドレス指定欄Ｓ３１Ａを使用して、設定切替を行う対象の室内ユニット２０のアドレス指定を行い（ステップＳＴ３１）、機能設定欄Ｓ３２Ａを使用して、変更対象の機能設定Ｎｏを選択する（ステップＳＴ３２）。なお、これらの制御フローは、図６に示す制御フローと同様な処理である。
【００２９】
つぎに、機能設定値欄Ｓ３３Ａを使用して機能設定値を選択し（ステップＳＴ３３）、ステップＳＴ３１からステップＳＴ３３までの処理で設定した内容を実行するため、実行内容選択欄Ｓ２４Ａで「設定」を選択することにより機能設定値が決定される（ステップＳＴ３４）。ステップＳＴ３４の処理によって決定された機能設定値は、リモコン３０と室内ユニット２０との間のリモコン通信により、室内ユニット２０の室内制御基板２１０に送信される。
【００３０】
室内制御基板２１０は、リモコン３０を使用して決定された機能設定値を受信する。その際、室内制御基板２１０では、機能設定の優先権切替設定を表す機能設定Ｎｏ．３２の設定値の確認処理が実施される（ステップＳＴ３５）。ここで、機能設定Ｎｏ．３２の機能設定値が“１”である場合には、ＤＩＰ＿ＳＷ２３０ａの設定が有効であるため、リモコン３０により設定された設定内容は無効であるとして、室内制御基板２１０における該当機能設定Ｎｏ（図１０の例では「天井高さ設定」）の機能設定値に関するメモリデータの更新は実施されない（ステップＳＴ３６）。一方、機能設定Ｎｏ．３２の機能設定値が“２”である場合には、リモコン３０による設定は有効であり、室内制御基板２１０における該当機能設定Ｎｏ（図１０の例では「天井高さ設定」）の機能設定値に関するメモリ２４０のデータの更新は実施される（ステップＳＴ３７）。
【００３１】
つぎに、図１１を参照し、「機能設定Ｎｏ．８」の「天井高さ設定」の設定内容を変更するときの処理の流れについて説明する。
【００３２】
まず、図１１の（１）は、例えば出荷設定状態を表している。具体的には、「機能設定Ｎｏ．３２」の機能設定値として“１”が設定されている状態、すなわち、ＤＩＰ＿ＳＷ２３０ａの設定が有効とされている状態であり、且つ、「機能設定Ｎｏ．８」の「天井高さ設定」のメモリデータは「標準」設定を意味する“２”が設定されている。
【００３３】
つぎに、図１１の（２）では、「機能設定Ｎｏ．３２」の機能設定値として“２”が設定されている状態、すなわち、リモコン３０による設定が有効とされている状態であり、且つ、「機能設定Ｎｏ．８」の「天井高さ設定」のメモリデータは、ＤＩＰ＿ＳＷ２３０ａの設定が有効とされているときの初期状態である「標準」設定が維持された状態である。
【００３４】
この状態下において、リモコン３０によって、「機能設定Ｎｏ．８」の「天井高さ設定」を変更した例が、図１１の（３）である。具体的に説明すると、リモコン３０による設定が有効とされている状態で、「機能設定Ｎｏ．８」の機能設定値のメモリデータは“３”に書き替えられている。すなわち、「機能設定Ｎｏ．８」の「天井高さ設定」は「高天井」に設定されている。機能設定Ｎｏ．３２の機能設定値として“２”が設定され、リモコン３０による設定が有効とされている状態であるため、リモコン３０によって機能設定値のメモリデータを“３”に変更する指示を室内制御基板２１０に送信することにより、室内制御基板２１０の機能設定値のメモリデータが更新され、「天井高さ設定」の設定は、リモコン３０によって指示された「高天井」という設定内容に切り替わることになる。
【００３５】
以上のように、実施の形態１に係る空気調和機によれば、空気調和機の機能設定を切り替えるスイッチおよび機能設定の設定値を記憶するメモリが設けられ、メモリに記憶されている設定値はリモコンからの指示によって書き換え可能に構成され、空気調和機に対する機能設定はメモリに記憶されている設定値によって規定されるので、空気調和機に設定する機能に対して、スイッチの設定を優先するか、リモコンによる設定を有効とするかの優先権を、機能ごとにリモコンからの設定よって切り替えることが可能となる。
【００３６】
上記により、施工完了前のユニットが通電できない状態での設定切替は制御基板上のスイッチで実施する一方、据え付け完了後の試運転時に設定切替を行うケースおよびユーザによる設定切替時は電気品箱を開ける必要のない作業となるリモコンからの設定切替というように、機能設定切替を実施する作業者、作業タイミングに合わせた設定手段を選択することが可能となる。
【００３７】
また、リモコンによって機能設定値を変更した後に初期設定状態に戻す際には、設定変更の優先権をリモコン設定からスイッチ設定に変更できるので、初期設定値に戻すことも簡潔に行うことができる。
【００３８】
特に、ビルなどの多台数の空調機が設置されるケースでは、室内ユニットの据え付けタイミングと室外ユニットの据え付けタイミングとは異なり、室内ユニットのみを設置した無通電の状態で、配線、配管接続および機能設定などを行うケースが多くあり、このような場合にはスイッチによる設定手段に利便性がある。
【００３９】
実施の形態２．
実施の形態１では設定変更の優先権をＤＩＰ＿ＳＷ２３０ａとリモコン３０とで選択する実施の形態について説明したが、実施の形態２では、設定変更の優先権を選択させることなく、ＤＩＰ＿ＳＷ２３０ａでの初期設定以降は、常時、リモコン３０からの設定切替を有効とするモード（以下、適宜「設定切替リモコン優先モード」もしくは、単に「リモコン優先モード」と称する）での実施の形態について説明する。
【００４０】
つぎに、実施の形態２に係る空気調和機の動作について説明する。
【００４１】
まず、機能設定の初期値の決定に関する制御フローは、図３から図５の図面を参照して説明した実施の形態１の処理と同一もしくは同等である。
【００４２】
図１２は、リモコン優先モードにおいて機能設定値をリモコンで変更するときの制御フローを示すフローチャートである。図１２において、ステップＳＴ３０からステップＳＴ３４までの処理、すなわちリモコン３０を使用した機能設定値の変更操作は、実施の形態１の図９で説明した通りである。
【００４３】
ステップＳＴ３４の処理によって決定された機能設定値は、リモコン３０と室内ユニット２０との間のリモコン通信によって送信され、室内ユニット２０の室内制御基板２１０によって受信される。そして、実施の形態１では、機能設定の優先権切替設定を表す機能設定Ｎｏ．３２の設定値の確認処理が実施されるが、実施の形態２では、常時、リモコン３０からの設定切替を有効とするリモコン優先モードでの実施になるため、優先権切替の判定は実施せず、リモコン３０により設定された機能設定の内容が有効とされ、室内制御基板２１０における該当機能設定Ｎｏ．の機能設定値に関するメモリデータの更新が実施される（ステップＳＴ４０）。
【００４４】
以上のように、実施の形態２では、空気調和機に搭載された機能の機能設定に対して制御基板上に搭載したＤＩＰ＿ＳＷ２３０ａとリモコン３０により制御基板の設定値を切替る双方の機能を搭載し、初期設定以降の設定切替を常時、リモコン３０からの設定切替を有効とする構成としている。
【００４５】
機能設定値の変更などは、頻繁に設定変更をされるケースは少なく、大半は据え付け段階で実施されることが多い。このため、初期設定以降の操作を常時、リモコン３０からの設定切替を有効とする実施の形態２の構成を採用することで、据え付け後のリモコンによる設定切替作業をより簡素化できる効果がある。
【００４６】
実施の形態３．
実施の形態１では設定変更の優先権をＤＩＰ＿ＳＷ２３０ａとリモコン３０とで選択する実施の形態について説明したが、実施の形態３では、設定変更の優先権を選択させることなく、ＤＩＰ＿ＳＷ２３０ａでの初期設定以降は、ＤＩＰ＿ＳＷ２３０ａによる設定切替およびリモコン３０からの設定切替のうちの何れかにおいて、後から実施した処理を有効とするモード（（以下、適宜「後設定優先モード」と称する）での実施の形態について説明する。
【００４７】
つぎに、実施の形態３に係る空気調和機の動作について説明する。
【００４８】
まず、機能設定の初期値の決定に関する制御フローは、図３から図５の図面を参照して説明した実施の形態１の処理と同一もしくは同等である。
【００４９】
図１３は、後設定優先モードにおいて機能設定値をリモコンまたはＤＩＰ＿ＳＷで変更するときの制御フローを示すフローチャートである。図１３において、ステップＳＴ３０からステップＳＴ３４までの処理およびステップＳＴ５２の処理は、実施の形態２の図１２で説明したステップＳＴ３０からステップＳＴ３４までの処理およびステップＳＴ４０の処理と同一もしくは同等である。
【００５０】
一方、実施の形態３のフローでは、ステップＳＴ５２の処理への移行は、リモコン３０におけるステップＳＴ３４の処理だけではなく、室内ユニット２０側におけるステップＳＴ５０からも移行する。具体的に説明すると、室内ユニット２０では、室内制御基板２１０において、機能設定に関係するＤＩＰ＿ＳＷ２３０ａの設定変更が実施されたか否かが判定され（ステップＳＴ５０）、設定変更が実施されていなければ（ステップＳＴ５０，Ｎｏ）、室内制御基板２１０におけるメモリデータの更新は行わず（ステップＳＴ５１）、処理を終了する。一方、設定変更が実施されていれば（ステップＳＴ５０，Ｙｅｓ）、室内制御基板２１０における該当機能の設定値に関するメモリデータを更新する（ステップＳＴ５２）。
【００５１】
リモコン３０による設定変更と、ＤＩＰ＿ＳＷ２３０ａによる設定変更とが行われた場合、ステップＳＴ５２では双方の処理が実行される。この場合、例えば同一機能に対する設定値の変更が指示された場合には、時間的に後で指示されたものが最終設定値として有効となる。
【００５２】
図１４は、図１３のフローの実施後に後設定優先モードによって機能設定値を変更するときの設定値変更例を示す図である。
【００５３】
まず、図１４の（１）では、「機能設定Ｎｏ．８」の「天井高さ設定」に関する初期設定値を記載しており、ＤＩＰ＿ＳＷ２３０ａの出荷設定状態である「標準」設定が機能設定値として有効となり、「機能設定Ｎｏ．８」の機能設定値として“２”が設定されている。
【００５４】
つぎに、図１４の（２）では、リモコン３０によって、「機能設定Ｎｏ．８」の「天井高さ設定」の機能設定値として“３”が設定されている。室内制御基板２１０における機能設定値のメモリデータは、リモコン３０からの設定値に更新され、「天井高さ設定」の設定値は「高天井」を意味する内容に有効に切り替わる。
【００５５】
つぎに、図１４の（３）では、（２）以降に室内制御基板２１０のＤＩＰ＿ＳＷ２３０ａで「天井高さ設定」が「低天井」設定に変更された場合について示されている。ＤＩＰ＿ＳＷ２３０ａの設定が「低天井」に変更された場合には、室内制御基板２１０における機能設定値のメモリデータも更新され、「天井高さ設定」の設定値は「低天井」を意味する内容に有効に切り替わる。
【００５６】
以上のように、空気調和機に搭載された機能設定に対して、制御基板上に搭載したＤＩＰ＿ＳＷ２３０ａとリモコン３０により制御基板の設定値を切替る双方の機能を搭載し、初期設定以降の設定切替をＤＩＰ＿ＳＷ２３０ａによる設定切替またはリモコン３０による設定切替の何れかの後から設定変更された内容を有効とする構成としている。
【００５７】
機能設定が変更されるタイミングとして初期据え付け時と据え付け後のユーザによる変更時およびサービス時などがあり、ユーザによる設定変更はリモコン３０により実施される形が大半となるが、サービス時に他サービスと同時に設定切替を行う場合には電気品箱を開けた状態であれば、室内制御基板２１０上のＤＩＰ＿ＳＷ２３０ａの設定変更により対応する場合も考えられる。
【００５８】
本構成では、ＤＩＰ＿ＳＷ２３０ａによる設定変更およびリモコン３０による設定変更のうちで何れの設定変更処理で実施された場合も、後から実施した設定が有効となる構成であり、設定切替の優先権などを気にすることなく設定変更が可能となる。
【００５９】
なお、以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００６０】
１  空気調和機、１０  室外ユニット、２０  室内ユニット、３０  リモコン、２１０  室内制御基板、２２０  ＣＰＵ（室内制御基板）、２３０  スイッチ、２３０ａ  ＤＩＰ＿ＳＷ、２４０  メモリ、２５０  リモコン通信送受信部（室内制御基板）、３１０  ＣＰＵ（リモコン）、３２０  操作部、３３０  リモコン通信送受信部（リモコン）、Ｓ２０Ａ，Ｓ３０Ａ  機能選択画面、Ｓ２１Ａ，Ｓ３１Ａ  アドレス指定欄、Ｓ２２Ａ，Ｓ３２Ａ  機能設定欄、Ｓ２３Ａ，Ｓ３３Ａ  機能設定値欄、Ｓ２４Ａ，Ｓ３４Ａ  実行内容選択欄、Ｓ２５Ａ  カーソル欄、Ｓ２６Ａ  アドレス欄。
【図１】
2016135866.tif 000003
【図２】
2016135866.tif 000004
【図３】
2016135866.tif 000005
【図４】
2016135866.tif 000006
【図５】
2016135866.tif 000007
【図６】
2016135866.tif 000008
【図７】
2016135866.tif 000009
【図８】
2016135866.tif 000010
【図９】
2016135866.tif 000011
【図１０】
2016135866.tif 000012
【図１１】
2016135866.tif 000013
【図１２】
2016135866.tif 000014
【図１３】
2016135866.tif 000015
【図１４】
2016135866.tif 000016
【国際調査報告】
2016135866.tif 000017
2016135866.tif 000018
2016135866.tif 000019
2016135866.tif 000020